(57)【特許請求の範囲】
【請求項１】
透明の合成樹脂製とした直方体形状のレベル本体（１）の内部に、短手方向または長手方向に沿って気泡移動部（２）を設けると共に、前記レベル本体（１）に指挿入部（３）を設けていることを特徴とする水準器。
【請求項２】
透明の合成樹脂製とした直方体形状のレベル本体（１）の内部に、短手方向と長手方向に沿って気泡移動部（２）を、互いに直交する方向に設けると共に、前記レベル本体（１）に指挿入部（３）を設けていることを特徴とする水準器。
【請求項３】
前記レベル本体（１）の厚さを１〜１３ｍｍとしていることを特徴とする請求項１または２記載の水準器。
【請求項４】
前記指挿入部（３）の内側面（３ａ）をレベル本体（１）の表壁面（１ａ）から裏壁面（１ｂ）にかけて、その傾斜角（α）が鋭角になるように傾斜させたものとしていることを特徴とする請求項１または２記載の水準器。
【請求項５】
前記指挿入部（３）は、レベル本体（１）の表壁面（１ａ）から裏壁面（１ｂ）に貫通するようにした貫通孔とすると共に、レベル本体（１）の上下部の対向する位置の二個所に設けたものとしていることを特徴とする請求項１または２記載の水準器。
【請求項６】
前記気泡移動部（２）は、レベル本体（１）の上下左右の側壁面（１ｃ、１ｄ、１ｅ、１ｆ）のいずれかの近辺に設けたものとしていることを特徴とする請求項１または２記載の水準器。
【発明の詳細な説明】
【技術分野】
【０００１】
この発明は、電気工事や建築工事等において、コンセント設置穴や電源スイツチ穴のように寸法が規格化されている角穴を壁面に穿設するための輪郭マークを付けることができる水準器に関するものである。
【背景技術】
【０００２】
従来、この種の水準器としては、例えば、図１３、１４に示したようなものが存在する。この水準器は、コンセント設置穴や電源スイツチ穴のように寸法が規格化されている角穴を壁面に穿設するに際して作業能率を大幅に高めることを可能とするとしており、以下のような構成としている（特許文献１）。
【０００３】
この水準器は、正面１１ａの短寸方向寸法が５０〜５５ｍｍ、長手方向寸法が９５〜１００ｍｍで、所要の厚さをもつ透明合成樹脂製直方体形状のレベル本体１１の他の一面１１ｂに板状の磁石Ｍが固着されたものとしている。そして、前記レベル本体１１の内部に長手方向と短寸方向とに沿って水平、垂直位置測定用の透明な気泡管部１２、１２が相互に直交する方向に配置されたものとしている。各気泡管部１２は、レベル本体１１の内部に長手方向及び短寸方向に沿って中央部が僅かに膨らんだ穴１２ａが穿設されており、この穴１２ａの中央部両側に水平状態確認用マークとなる環状線１３が形成され且つその内部には気泡Ｂを残して液体Ｌが充填されて栓１４で密閉されている。
【０００４】
このような構成の水準器を用いて、コンセント設置穴や電源スイツチ穴のように寸法が規格化されている角穴を壁面に穿設するための輪郭マークを付けるには、レベル本体１を横長にした場合の正面１ａの上下方向寸法を５０ｍｍまたは５１ｍｍ、長手方向寸法を９５ｍｍとしたものを用いる。このような数値寸法とすることによってその外周縁を利用してコンセント穴形成用の輪郭マークを適正大に付けることができるとしている。
【０００５】
前記コンセント穴形成用の輪郭マークを壁面に付けるには、図１５に示したように、壁の表面材１５の所定位置に前記水準器を長手方向が縦となるように当接し、水平となった気泡管部１２の気泡Ｂが環状線１３、１３の中間に位置するように調節すれば、この気泡管部１２は水平となったことが確認でき、前記水準器の５１ｍｍの辺は水平に、９５ｍｍの辺は垂直になる。したがって、この時のレベル本体１１の外形線を壁面に筆写すれば、前記した縦が９５ｍｍ、横が５１ｍｍの長方形の角穴を穿設する位置が正確にマークされるとしている。
【先行技術文献】
【特許文献】
【０００６】
【特許文献１】特開平９−２１８０３７号公報
【発明の概要】
【発明が解決しようとする課題】
【０００７】
上記従来の水準器を用いて、コンセント穴形成用の輪郭マークを壁面に付けるには、図１５に示したように、レベル本体１１の正面１１ａの適当な個所を指で押さえ付けたり、またはレベル本体１１の周囲を指で保持したりして、このレベル本体１１を壁面に位置決めしている。
【０００８】
しかしながら、前記レベル本体１１は透明合成樹脂で作製されており、その正面１１ａは平滑であるため、正面１１ａの適当な個所を指で押さえ付けるだけでは、その押えた指が滑りやすく、その指の滑りに応じてレベル本体１１も滑って移動してしまい、レベル本体１１を壁面に正確に位置決めすることができないという課題を有していた。
【０００９】
さらに、前記レベル本体１１の周囲を指で保持する場合は、前記輪郭マークを付けるときに、その保持している指が邪魔になるので持ち替えなければならず、その際にレベル本体１１の位置がずれることがあるという課題を有していた。
【００１０】
そこで、この発明は、上記従来の水準器が有する課題を解決することを目的としており、コンセント設置穴や電源スイツチ穴のように寸法が規格化されている角穴を壁面に穿設するための輪郭マークを付ける場合に、レベル本体を押えやすく、その押えた指が滑りにくくすることにより、レベル本体も滑って移動しにくくし、さらにレベル本体を持ち替える必要をなくして、その際の位置ずれを防止して、レベル本体を壁面に正確に位置決めすることができる水準器を提供することを目的としてなされたものである。
【課題を解決するための手段】
【００１１】
そのため、この発明の水準器は、透明の合成樹脂製とした直方体形状のレベル本体１の内部に、短手方向または長手方向に沿って気泡移動部２を設けると共に、前記レベル本体１に指挿入部３を設けている。
【００１２】
さらに、この発明の水準器は、透明の合成樹脂製とした直方体形状のレベル本体１の内部に、短手方向と長手方向に沿って気泡移動部２を、互いに直交する方向に設けると共に、前記レベル本体１に指挿入部３を設けている。
【００１３】
この発明の水準器において、前記レベル本体１の厚さを１〜１３ｍｍとしている。
【００１４】
この発明の水準器において、前記指挿入部３の内側面３ａをレベル本体１の表壁面１ａから裏壁面１ｂにかけて、その傾斜角αが鋭角になるように傾斜させたものとしている。
【００１５】
この発明の水準器において、前記指挿入部３は、レベル本体１の表壁面１ａから裏壁面１ｂに貫通するようにした貫通孔とすると共に、レベル本体１の上下部の対向する位置の二個所に設けたものとしている。
【００１６】
この発明の水準器において、前記気泡移動部２は、レベル本体１の上下左右の側壁面１ｃ、１ｄ、１ｅ、１ｆのいずれかの近辺に設けたものとしている。
【発明の効果】
【００１７】
この発明の水準器は、以上に述べたように構成されており、コンセント設置穴や電源スイツチ穴のように寸法が規格化されている角穴を壁面に穿設するための輪郭マークを付ける場合に、レベル本体１に設けられた指挿入部３に指を引っ掛けて、そのレベル本体１を押えることにより、レベル本体１が押えやすく、その押えた指が滑りにくくなるので、レベル本体１も滑ることなく移動しにくくなり、そのレベル本体１を壁面に正確に位置決めすることができる。
【００１８】
さらに、この発明の水準器は、前記輪郭マークを付ける場合に、レベル本体１に設けられた指挿入部３に指を引っ掛けて、そのレベル本体１を押えれば、その押えた指が邪魔にならないので、レベル本体を持ち替える必要がなく、その際の位置ずれを防止することができ、そのレベル本体１を壁面に正確に位置決めすることができる。
【００１９】
したがって、この発明の水準器を用いれば、前記輪郭マークを正確に、しかも速やかに付けることができるようになる。
【図面の簡単な説明】
【００２０】
【図１】この発明の水準器の一実施形態を示す斜視図である。
【図２】図１に示すこの発明の水準器の表面図である。
【図３】図１に示すこの発明の水準器の裏面図である。
【図４】図２中のＡ−Ａ線によるこの発明の水準器の断面図である。
【図５】図２中のＢ−Ｂ線によるこの発明の水準器の断面図である。
【図６】この発明の水準器の他の実施形態を示す表面図である。
【図７】図６に示すこの発明の水準器の裏面図である。
【図８】図６中のＣ−Ｃ線によるこの発明の水準器の断面図である。
【図９】この発明の水準器のさらに他の実施形態を示す表面図である。
【図１０】図９に示すこの発明の水準器の裏面図である。
【図１１】図９中のＤ−Ｄ線によるこの発明の水準器の断面図である。
【図１２】この発明の水準器の一使用状態を示す説明図である。
【図１３】従来の水準器の一例を示す斜視図である。
【図１４】図１３に示す従来の水準器の表面図である。
【図１５】図１３に示す従来の水準器の一使用状態を示す説明図である。
【発明を実施するための形態】
【００２１】
以下、この発明の水準器を実施するための形態を、図面に基づいて詳細に説明する。
【００２２】
この発明の水準器は、透明の合成樹脂製とした直方体形状のレベル本体１の内部に、短手方向または長手方向に沿って垂直度または水平度を測定するための気泡移動部２を設けると共に、前記レベル本体１の表壁面から裏壁面に貫通する指挿入部３を設けている。
【００２３】
図１〜５、図６〜８に示したこの発明の水準器は、透明の合成樹脂製とした縦長の平坦な直方体形状のレベル本体１の内部に、短手方向に沿って垂直度または水平度を測定するための気泡移動部２と、長手方向に沿って垂直度または水平度を測定するための気泡移動部２を、互いに直交する方向に設けると共に、前記レベル本体１の表壁面から裏壁面に貫通する指挿入部３を、レベル本体１の上下部の対向する位置の二個所に設けている。
【００２４】
図９〜１１に示したこの発明の水準器は、透明の合成樹脂製とした縦長の平坦な直方体形状のレベル本体１の内部に、短手方向に沿って垂直度または水平度を測定するための気泡移動部２と、長手方向に沿って垂直度または水平度を測定するための気泡移動部２を、互いに直交する方向に設けると共に、前記レベル本体１の表壁面から裏壁面に貫通する指挿入部３を、レベル本体１の上部位置の一個所に設けている。
【００２５】
前記レベル本体１は、表壁面１ａ、裏壁面１ｂ、上下左右の側壁面１ｃ、１ｄ、１ｅ、１ｆを有したものとしており、図示したものの実寸は、短手方向の寸法を４０〜６０ｍｍ、規格のコンセント穴形成用の輪郭マークを壁面に付けるには、この寸法を５０ｍｍとし、長手方向の寸法を９０〜１００ｍｍ、規格のコンセント穴形成用の輪郭マークを壁面に付けるには、この寸法を９５ｍｍとしており、レベル本体１の重量を軽くしたり、後に述べる指挿入部３との組み合わせによってレベル本体１を壁面に押え付けやすくするために、厚さを１〜１３ｍｍ、好ましくは３〜９ｍｍとしているが、これらの寸法は限定されるものではない。
【００２６】
そして、前記レベル本体１は、表壁面１ａの中央から裏壁面１ｂの中央にかけて前記輪郭マーク付け用の中心孔Ｈを貫通させたものとしているが、この中心孔Ｈは必要に応じて設ければよい。さらに、前記レベル本体１には、必要に応じて、表壁面１ａまたは裏壁面１ｂの少なくとも互いに直交する端縁に寸法測定用の目盛りＳを設けておくことができる。また、前記レベル本体１には、必要に応じて、磁石Ｍを設けたものとしており、その磁石Ｍの露出面を上下左右の側壁面１ｃ、１ｄ、１ｅ、１ｆのいずれかと面一なるように、その側壁面からレベル本体１の内部に埋設したものとしている。なお、前記磁石Ｍは、円柱形状の磁石体としているが、ボタン形状の磁石体、板形状の磁石体などとしてもよく、板形状の磁石体とした場合には、レベル本体１に埋設することなく、側壁面に直に接着したものとすることができる。
【００２７】
前記気泡移動部２は、レベル本体１の裏壁面１ｂから内部にかけて穿設されており、内方部の空間Ｓａと外方部の空間Ｓｂとが連設されたものとしており、内方部の空間Ｓａに気泡Ｂを残して液体Ｌを充填し、外方部の空間Ｓｂに合成樹脂製の蓋体４を嵌め込み、内方部の空間Ｓａを密閉している。さらに、前記気泡移動部２は、中央部両側に垂直度または水平度を確認するためのマークとなる環状線Ｋ、Ｋが設けられている。
【００２８】
そして、前記気泡移動部２は、後に述べる指挿入部３をレベル本体１の内側に配置しやすくしたり、気泡移動部２を見やすくするため、レベル本体１の上下左右の側壁面１ｃ、１ｄ、１ｅ、１ｆのいずれかの近辺に設けたものとするのが好ましい。なお、前記気泡移動部２は、レベル本体１の上側壁面１ｃ、下側壁面１ｄ、左側壁面１ｅまたは右側壁面１ｆから内部にかけて気泡管を穿設し、この気泡管に気泡Ｂを残して液体Ｌを充填し、合成樹脂製の止栓などで密閉するなど、その他適宜の手段によってレベル本体１に設けることができる。
【００２９】
前記指挿入部３は、レベル本体１の表壁面１ａから裏壁面１ｂにかけて窪ませた凹部としたり、レベル本体１の表壁面１ａから裏壁面１ｂに貫通するようにした貫通孔としており、図１〜５、図６〜８に示したものでは、レベル本体１の上下部の対向する位置の二個所に設けた貫通孔としており、図９〜１１に示したものでは、レベル本体１の上部位置の一個所に設けた貫通孔としている。なお、この指挿入部３は、後に述べるように内側面３ａを傾斜させたものとするには、貫通孔とするのが加工面などにおいて好ましい。
【００３０】
そして、前記指挿入部３は、平面形状を角を丸めた長方形としており、図１〜５、図６〜８に示したものでは、二個所の指挿入部３の対向する内側面３ａをレベル本体１の表壁面１ａから裏壁面１ｂにかけて、その傾斜角αが鋭角になるように傾斜させたものとしており、図９〜１１に示したものでは、指挿入部３の下辺位置の内側面３ａをレベル本体１の表壁面１ａから裏壁面１ｂにかけて、その傾斜角αが鋭角になるように傾斜させたものとしている。なお、前記指挿入部３の内側面３ａの傾斜角αは、限定されるものではないが、４５〜８５度、好ましくは５５〜６５度とするのが、指挿入部３に指が引っ掛けやすくなり、指当たりもよくなる。また、この指挿入部３に指を引っ掛けた場合の指当たりをさらによくするため、内側面３ａに幅１〜２ｍｍの僅かな非傾斜部３ｂを残してから、この内側面３ａを傾斜させたものとしてもよい。
【００３１】
さらに、前記指挿入部３は、図１〜５に示したものでは、レベル本体１の上下部の二個所に設けたものを同形状としているが、図６〜８に示したものでは、上部に設けたものより下部に設けたものを大きくしている。このように、上部に設けたものより下部に設けたものを大きくしたものでは、その大きくした下部の指挿入部３を親指用とすれば、その指挿入部３に親指を差し込んで引っ掛けやすくなり、使い勝手がよいものとなる。なお、前記指挿入部３は、平面形状を長方形とするのが、その長辺部を指で押えやすくなるので好ましいが、円形、楕円形などとすることもでき、限定されるものではない。
【００３２】
以上のように構成されたこの発明の水準器を用いて、コンセント設置穴や電源スイツチ穴のように寸法が規格化されている角穴を壁面に穿設するための輪郭マークを付けるには、レベル本体１の短手方向の寸法を５０ｍｍ、長手方向の寸法を９５ｍｍ、厚さを６ｍｍ、指挿入部３の内側面３ａの傾斜角αを６０度としたものを用いるのが好ましい。
【００３３】
このような水準器を用いて、前記コンセント穴形成用の輪郭マークを壁面に付けるには、図１２に示したように、レベル本体１の上部位置の指挿入部３に人差指を引っ掛け、下部位置の指挿入部３に親指を引っ掛けて、このレベル本体１を保持し、壁面の所定位置にレベル本体１の長手方向が縦となるようにして押さえ付ける。そして、水平度を確認する気泡移動部２の気泡Ｂが環状線Ｋの中間に位置するように調節すれば、この気泡移動部２は水平となったことが確認でき、レベル本体１の短手方向は水平に、長手方向は垂直になる。そこで、この時のレベル本体１の外形線を壁面に筆写すれば、縦が９５ｍｍ、横が５０ｍｍの長方形の角穴を穿設する位置が正確にマークされることになる。なお、レベル本体１の上部位置の一個所に指挿入部３を設けたものでは、この指挿入部３に人差指を引っ掛け、レベル本体１の下側壁面１ｄに親指を引っ掛けて、前記レベル本体１を保持し、壁面の所定位置にレベル本体１の長手方向が縦となるようにして押さえ付ける。
【００３４】
したがって、この発明の水準器では、レベル本体１が押えやすく、その押えた指が滑りにくくなるので、レベル本体１も滑ることなく移動しにくくなり、そのレベル本体１を壁面に正確に位置決めすることができる。
【００３５】
さらに、この発明の水準器では、レベル本体１を押えた指が邪魔にならないので、レベル本体１を持ち替える必要がなく、その際の位置ずれを防止することができ、そのレベル本体１を壁面に正確に位置決めすることができる。
【００３６】
よって、この発明の水準器を用いれば、コンセント穴形成用の輪郭マークを正確に、しかも速やかに付けることができるようになる。
【符号の説明】
【００３７】
１  レベル本体
１ａ  表壁面
１ｂ  裏壁面
１ｃ  側壁面
１ｄ  側壁面
１ｅ  側壁面
１ｆ  側壁面
２  気泡移動部
３  指挿入部
３ａ  内側面
α  傾斜角
【図１】
0006633919.tif 000002
【図２】
0006633919.tif 000003
【図３】
0006633919.tif 000004
【図４】
0006633919.tif 000005
【図５】
0006633919.tif 000006
【図６】
0006633919.tif 000007
【図７】
0006633919.tif 000008
【図８】
0006633919.tif 000009
【図９】
0006633919.tif 000010
【図１０】
0006633919.tif 000011
【図１１】
0006633919.tif 000012
【図１２】
0006633919.tif 000013
【図１３】
0006633919.tif 000014
【図１４】
0006633919.tif 000015
【図１５】
0006633919.tif 000016